(57)【要約】【課題】「液体溜まり」の発生を抑制し、加熱された液体が周囲に飛散することを防止することができる消毒用具等を提供すること。【解決手段】加熱された消毒用媒体を消毒対象物１００の内部に供給する媒体供給部６１と、消毒用媒体が消毒対象物から排出される開口である消毒対象物開口部１１０を支持する支持部７０と、を備え、消毒対象物開口部から排出された消毒用媒体は、支持部と消毒対象物開口部との間に形成される隙間部を介して外部に排出される構成となっていると共に、支持部７０には、隙間部を介して排出されない消毒用媒体を外部に放出する放出部７１ｃが形成されている消毒用具６０。【選択図】図６
2017103975.tif 000002
【特許請求の範囲】
【請求項１】
加熱された消毒用媒体を消毒対象物の内部に供給する媒体供給部と、
前記消毒用媒体が前記消毒対象物から排出される開口である前記消毒対象物開口部を支持する支持部と、 
を備え、
前記消毒対象物開口部から排出された前記消毒用媒体は、前記支持部と前記消毒対象物開口部との間に形成される隙間部を介して外部に排出される構成となっていると共に、前記支持部には、前記隙間部を介して排出されない前記消毒用媒体を外部に放出する放出部が形成されていることを特徴とする消毒用具。
【請求項２】
前記支持部には、前記隙間部から排出されなかった前記消毒用媒体を前記放出部へ案内するための案内部が形成されていることを特徴とする請求項１に記載の消毒用具。
【請求項３】
前記案内部が傾斜面を有し、前記傾斜面は、前記放出部に向かって下方に傾いていることを特徴とする請求項２に記載の消毒用具。
【請求項４】
前記支持部は前記消毒対象物開口部の頂部側を支持する頂部支持部と、
前記消毒対象物開口部の側面側を支持する側面支持部と、を有し、
前記頂部支持部は、前記媒体供給部の基端部から前記側面支持部の基端部にかけて形成されており、
前記放出部は前記頂部支持部に形成されていることを特徴とする請求項１乃至請求項３のいずれか１項に記載の消毒用具。
【請求項５】
前記頂部支持部には、前記媒体供給部の基端部から前記側面支持部の基端部にかけて、前記放出部を除き前記傾斜面が形成されていることを特徴とする請求項４に記載の消毒用具。
【請求項６】
前記放出部が、前記頂部支持部における前記側面支持部近傍に形成されていることを特徴とする請求項４又は請求項５に記載の消毒用具。
【請求項７】
加熱部と、
前記消毒用媒体を収容する媒体収容部と、を含む消毒装置本体部と、請求項１乃至請求項６のいずれか１項に記載の消毒用具と、を有することを特徴とする消毒装置。
【発明の詳細な説明】
【技術分野】
【０００１】
本発明は、例えば、飲料を収容する哺乳瓶等を消毒するための消毒用具及び消毒装置に関するものである。
【背景技術】
【０００２】
乳児等に人工乳等の飲料を与えるために、飲料を収容し、開口部に人工乳首等を装着する哺乳瓶等が使用されている。
このような哺乳瓶等は、雑菌等に対する抵抗力が十分でない乳児に与える飲料を収容するため、使用に際しては消毒する必要がある。そこで、従来から哺乳瓶を消毒するための消毒装置が提案されている（例えば、特許文献１）【０００３】
このような消毒装置では、水等がヒータ等により加熱され、水蒸気等の蒸気となって、当該装置に配置された哺乳瓶の内部に導かれる。そして、蒸気が哺乳瓶の内部で対流等することで瓶の内部を消毒する構成となっている。
具体的には、哺乳瓶が消毒装置の蒸気を排出する筒状の排気部を覆うように逆さまに配置されると共に、哺乳瓶の開口側が消毒装置に当接し、消毒装置に形成された支持部により哺乳瓶の開口が支持される。
この状態で、消毒装置の排出部から排出された蒸気は、哺乳瓶内の底側から開口側に向かって対流し、哺乳瓶内を消毒した後、瓶の開口から外部に排出される。
その後、蒸気は、哺乳瓶の開口と支持部の間を通って、外部に排出される構成となっている。すなわち、排出された蒸気は、哺乳瓶の開口と消毒装置の支持部の隙間を介して排出されることになる。
【先行技術文献】
【特許文献】
【０００４】
【特許文献１】特開２０１５−１００５０９号公報
【発明の概要】
【発明が解決しようとする課題】
【０００５】
しかしながら、蒸気が哺乳瓶の開口と消毒装置の支持部の隙間を通過して排出されるとき、全ての蒸気が排出されるのではなく、その一部が滴状となり、哺乳瓶の開口付近等に溜まり、「液体溜まり」が形成される。
この「液体溜まり」は、哺乳瓶の内部を対流する熱い蒸気により加熱され沸騰し、熱い状態で周囲に飛散する可能性があるという問題があった。【０００６】
そこで、本発明は、上述のような「液体溜まり」の発生を抑制し、加熱された液体が周囲に飛散することを防止することができる消毒用具及び消毒装置を提供することを目的とする。
【課題を解決するための手段】
【０００７】
前記目的は、本発明によれば、加熱された消毒用媒体を消毒対象物の内部に供給する媒体供給部と、前記消毒用媒体が前記消毒対象物から排出される開口である前記消毒対象物開口部を支持する支持部と、を備え、前記消毒対象物開口部から排出された前記消毒用媒体は、前記支持部と前記消毒対象物開口部との間に形成される隙間部を介して外部に排出される構成となっていると共に、前記支持部には、前記隙間部を介して排出されない前記消毒用媒体を外部に放出する放出部が形成されていることを特徴とする消毒用具により達成される。【０００８】
前記構成によれば、消毒対象物開口部から排出された加熱済みの消毒用媒体のうち、支持部と消毒対象物開口部との間の隙間部を介して排出されない消毒用媒体は、支持部に形成された放出部から放出される。
したがって、支持部と消毒対象物開口部の間に消毒用媒体が溜まり、「液体溜まり」が発生するのを効果的に防止することができる。
このため、「液体溜まり」の消毒用媒体が消毒装置のヒータ等の加熱部により更に加熱され沸騰して、熱い状態で消毒用具の周囲に飛散することを確実に防止することができる。【０００９】
好ましくは、前記支持部には、前記隙間部から排出されなかった前記消毒用媒体を前記放出部へ案内するための案内部が形成されていることを特徴とする。【００１０】
前記構成によれば、案内部が形成されているため、隙間部から排出されなかった消毒用媒体をより迅速に放出部に導くことができ、これにより、「液体溜まり」をより発生し難い構成とすることができる。【００１１】
好ましくは、前記案内部が傾斜面を有し、前記傾斜面は、前記放出部に向かって下方に傾いていることを特徴とする。【００１２】
好ましくは、前記支持部は前記消毒対象物開口部の頂部側を支持する頂部支持部と、前記消毒対象物開口部の側面側を支持する側面支持部と、を有し、頂部支持部は、前記媒体供給部の基端部から前記側面支持部の基端部にかけて形成されており、前記放出部は前記頂部支持部に形成されていることを特徴とする。【００１３】
前記構成によれば、放出部が頂部支持部に形成されているので、消毒対象物開口部を側面支持部で支持されるように配置すると、消毒対象物によって放出部は覆われる。
したがって、消毒用具の消毒対象物を消毒中に、消毒用具の外部から異物等が放出部を介して混入することを未然に防止することができる。【００１４】
好ましくは、前記頂部支持部には、前記媒体供給部の基端部から前記側面支持部の基端部にかけて、前記放出部を除き前記傾斜面が形成されていることを特徴とする。【００１５】
前記構成によれば、頂部支持部には、媒体供給部の基端部から側面支持部の基端部にかけて、放出部を除き前記傾斜面が形成されている。
したがって、頂部支持部では、側面支持部の基端部から放出部の間の全範囲において、消毒用媒体の水蒸気等が滴状となって付着しても、この滴は傾斜面により放出部に案内されて、放出部から外部に排出され、「液体溜まり」が発生することを効果的に防止することができる。【００１６】
好ましくは、前記放出部が、前記頂部支持部における前記側面支持部近傍に形成されていることを特徴とずる。【００１７】
前記構成によれば、放出部が頂部支持部のうち、側面支持部近傍に形成されているので、放出部が、媒体供給部からより離間した位置に配置される。
したがって、加熱された消毒用媒体が供給される媒体供給部から離間する方向に向かって消毒用媒体が案内されるので、消毒用媒体が消毒用対象物の内部を対流する熱い蒸気等により加熱され難く、熱い状態で消毒装置の周囲に飛散することを確実に防止することができ、安全性が向上する。
また、媒体供給部から離間した方向に放出部が存在するので、加熱された消毒用媒体を消毒対象に供給する動作等（適切な上昇気流の発生等）に影響を与えない構成となっている。このため、消毒を効果的に行うことができる。【００１８】
好ましくは、加熱部と、前記消毒用媒体を収容する媒体収容部と、を含む消毒装置本体部と、消毒用具と、を有することを特徴とする。
【発明の効果】
【００１９】
本発明は、上述のような「液体溜まり」の発生を抑制し、加熱された液体が周囲に飛散することを防止することができる消毒用具及び消毒装置を提供することができるという利点がある。
【図面の簡単な説明】
【００２０】
【図１】本発明の第１の実施の形態に係る消毒装置の主な構成を示す概略図である。
【図２】図１に示す消毒装置の消毒装置本体等を示す概略断面図である。
【図３】人工乳首、キャップ及びフードを示す概略斜視図である。
【図４】図１の部品配置部の内部等を示す概略斜視図である。
【図５】図４の部品載置部を示す概略図である。
【図６】図１及び図２の容器配置部を示す概略斜視図である。
【図７】容器配置部を示す概略平面図である。
【図８】図２の矢印Ｘで示す部分の概略拡大断面図である。
【図９】図１及び図６に示すＢ−Ｂ‘線で断面を形成した状態を示す概略拡大断面図である。
【図１０】本発明の第２の実施の形態にかかる消毒用具である例えば、容器配置部の主な構成を示す概略図である。
【発明を実施するための形態】
【００２１】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
（第１の実施の形態）
図１は、本発明の第１の実施の形態に係る消毒装置１の主な構成を示す概略図であり、図１に示す消毒装置１は、消毒対象物である例えば、哺乳瓶１００を消毒するための装置となっている。
図１に示すように、消毒装置１は、後述する消毒装置本体２０を覆うケース１０を有している。
【００２３】
このケース１０は、例えば、平面視では全体が略円形等からなり、側面側は角部を形成しない滑らかな表面を形成している。
なお、本実施の形態では、ケース１０は、その平面視で、全体が略円形からなっているが、本発明は、この形状に限られることなく、全体が箱形等の他の形状であってもよいことは勿論である。
【００２４】
また、図１の正面側には、全体が略逆三角形でなる操作部１１が配置され、この操作部１１には、略円形の操作ボタン１１ａ乃至１１ｈが、例えば、８個形成されている。
したがって、消毒装置１の利用者は、この操作ボタン１１ａ等を操作することで、哺乳瓶１００を消毒することができる構成となっている。
【００２５】
図２は、図１に示す消毒装置１の消毒装置本体２０等を示す概略断面図である。
図２に示すように、消毒装置１は、下方に基部３０を有し、この基部３０は、消毒用媒体である例えば、加熱されていない水又は薬液を所定量、収容させることができる媒体収容部である例えば、水収容部３２を有している。
また、基部３０は、この水収容部３２に溜められた水等を加熱し、実際に哺乳瓶１００の内部に供給する水蒸気とするための加熱部である例えば、ヒータ３１も有している。
なお、このヒータ３１及び水収容部３２等を含む基部３０が、消毒装置本体部の一例となっている。
【００２６】
この基部３０の上部には、図１に示すように全体が略円筒形から成る部品配置部４０が形成されている。
この部品配置部４０には、例えば、哺乳瓶１００の付属部品である人工乳首５０、キャップ５１及びフード５２等が消毒する際に配置される構造となっている。
【００２７】
図３は、人工乳首５０、キャップ５１及びフード５２を示す概略斜視図である。
図３に示す人工乳首５０は、キャップ５１で保持されて哺乳瓶１００に固定され、哺乳瓶１００内の人工乳を人工乳首の５０を介して乳児が哺乳する構成となっている。
また、フード５２は、乳児が直接、口腔内に挿入する人工乳首５１を覆い、外部の汚れ等から人工乳首５１を守る機能を発揮する。
【００２８】
図４は、図１の部品配置部４０の内部等を示す概略斜視図である。図４に示すように部品配置部４０は、略円筒形から成り、下方側には基部３０側を視認することができる構成となっている。
具体的には、図２の基部３０の水収容部３２の上部は開口となっており、そこには、水蒸気を通過させると共に、部品等を落下せずに配置することが可能な部品載置部３３が形成されている。
【００２９】
図５は、図４の部品載置部３３を示す概略図である。図５に示すように、部品載置部３３には、開口である水蒸気通過部３３ａが、７カ所形成されると共に、部品等を載置可能な部分である載置部３３ｂも形成されている。
したがって、図２に示すように、人工乳首５０、キャップ５１及びフード５２を、この載置部３３ｂ上に配置することで、これらは、図２の水収容部３２に落下することなく、水収容部３２内の水が加熱されて発生する水蒸気によって消毒をすることができる構成となっている。
【００３０】
また、図２に示すように、部品配置部４０の上部には、消毒用具である例えば、容器配置部６０が載置されている。
容器配置部６０は、部品配置部４０と着脱可能な構成となっており、部品配置部４０内に人工乳首５０等を配置するときは、容器配置部６０を外して，挿入配置する。
【００３１】
また、容器配置部６０は、上方に向かって突出するように形成される略円筒形状の媒体供給部である例えば、煙突部６１を有している。
この煙突部６１の下側の開口は、部品配置部４０と接続され、ヒータ３１によって生成された水蒸気が部品配置部４０を介して、煙突部６１の内部に導入される構成となっている。
すなわち、水蒸気は煙突部６１の内面である水蒸気案内面６１ａに案内されながら煙突部６１の上部開口に向かって移動することになる。
なお、本実施の形態では、煙突部６１が１本の例を示しているが、本発明は、これに限らず、複数本配置しても構わない。
【００３２】
ここで、消毒装置１で、消毒する対象である哺乳瓶１００について説明する。
哺乳瓶１００は、人工乳を充填した後、人工乳首５０をキャップ５１を介して装着する消毒対象物開口部である例えば、瓶開口部１１０を有している。
この瓶開口部１１０には、キャップ５１と螺合させるためのネジ１１１が形成されている。
【００３３】
また、哺乳瓶１００は、全体が有底の略円筒形状を成しているため、瓶開口部１１０の反対側、図２において上部側には、人工乳等が溜まる底部１１２と、側部１１３を有している。
すなわち、この底部１１２と側部１１３で形成される哺乳瓶１００の瓶内部１１４に人工乳が収容されることになる。
なお、本実施の形態では、この煙突部６１の長さは、哺乳瓶１００の瓶開口部１１０から底部１１２までの長さの例えば、半分以上が好ましい。
【００３４】
図６は、図１及び図２の容器配置部６０を示す概略斜視図であり、図７は、容器配置部６０を示す概略平面図である。
図６及び図７に示すように、容器配置部６０は、その平面視が略円形を成し、その略中央に、上述の略円筒形状の煙突部６１を有すると共に、その周囲には、哺乳瓶１００の瓶開口部１１０を支持する支持部である例えば、瓶支持部７０が形成されている。
【００３５】
瓶支持部７０は、図６及び図７で示すように、その内周側（煙突部６１側）には，哺乳瓶１００の瓶開口部１１０の頂部が当接支持される頂部支持部７１が形成されている。また、頂部支持部７１の外側には、頂部支持部７１から上方に起立するように形成され、瓶開口部１１０の側面部に当接して支持する側面支持部７２が設けられている。
【００３６】
図８は、図２の矢印Ｘで示す部分の概略拡大断面図である。図２の断面は、図１及び図６に示すＡ―Ａ‘線で断面を形成した状態を示す概略断面図である。
また、図９は、図１及び図６に示すＢ−Ｂ‘線で断面を形成した状態を示す概略拡大断面図である。
【００３７】
以下、図６乃至図９等を用いて、図６等の頂部支持部７１及び側面支持部７２について説明する。
図６に示すように、頂部支持部７１には、哺乳瓶１００の瓶開口部１１０を配置したときに瓶開口部１１０の頂部１１５が当接支持される頂部当接部７１ａが形成されている。また、この頂部当接部７１ａに対応し、その外側の側面支持部７２には、側面当接部７２ａが形成されている。
これら頂部当接部７１ａ及び側面当接部７２ａの構成を示した状態が、図９である。すなわち、図９に示すように、瓶開口部１１０の側面側である例えば、ネジ１１１が、側面支持部７２ａと当接すると共に、瓶開口部１１０の頂部１１５が、頂部当接部７１ａに当接するため、哺乳瓶１００は、頂部当接部７１ａ及び側面支持部７２ａによって、確実に支持される構成となっている。
【００３８】
このように、哺乳瓶１００は、頂部当接部７１ａ及び側面支持部７２ａによって、安定的に支持されると共に、哺乳瓶１００自体の重さが頂部当接部７１ａに加わることで、より安定的に消毒装置１に載置されることになる。
また、本実施の形態では、哺乳瓶１００を消毒装置１上に安定的に配置させるための特別な装置は必要ないので、哺乳瓶１００の消毒を行う母親等にとって極めて使い易い構成となっている。
【００３９】
ところで、本実施の形態のように、消毒装置１が、加熱された蒸気の熱で消毒する場合、使用中に哺乳瓶１００が消毒装置１から外れてしまうことがないようにする必要がある。
一方、哺乳瓶１００が外れないように特別な装置を用いると、本装置１の利用者が必ずしも装置類の操作を得意としていない母親等であることや、使用する場所の制約等を考慮すると、使用し難い装置となるおそれがある。
そこで、本実施の形態では、母親等にも使い易く、且つ容易に哺乳瓶１００が消毒装置１から外れない構成を採用している。
特に、哺乳瓶１００の瓶開口部１１０の口径が、図６等の側面支持部７２ａの径に対応している場合は、より確実に、哺乳瓶１００を保持することが可能な構成となっている。
【００４０】
ところで、図６及び図８に示すように、頂部支持部７１には、水蒸気の放出部である例えば、落下孔７１ｃが複数、形成されている。この落下孔７１ｃは、貫通孔となっており、液体等を図１の部品配置部４０側へ導く構成となっている。
本実施の形態では、この落下孔７１ｃは、煙突部６１の基端部側に配置されている。
【００４１】
そして、頂部支持部７１の落下孔７１ｃが形成されている部分には、図６及び図８に示すように、落下孔７１ｃへ液体等を導くための案内部である例えば、傾斜面７１ｂが形成されている。
また、この傾斜面７１ｂに対応する側面支持部７２には、凹状に溝が形成されて成る凹状支持部７２ｂが形成されている。
そして、図８に示すように、傾斜面７１ｂは、凹状支持部７２ｂの基端部から落下孔７１ｃにかけて徐々に下降するように連続的に形成されている。
【００４２】
哺乳瓶１００の瓶開口部１１０が、傾斜面７１ｂ及び凹状支持部７２ｂに対応する位置に配置されたときは、図８に示すように、瓶開口部１１０は、傾斜面７１ｂ及び凹状支持部７２ｂと当接せず、隙間が空いた状態で配置され、隙間部が形成される。
【００４３】
このように、本実施の形態では、図２に示すように、瓶開口部１１０を容器配置部６０に配置したとき、図６に示す頂部当接部７１ａ及び側面当接部７２ａでは、瓶開口部１１０が確実に支持されると共に、図６に示す傾斜面７１ｂ及び凹状支持部７２ｂと瓶開口部１１０との間には、一定の間隔（隙間）が形成される構成となっている。
【００４４】
さらに、これら「頂部当接部７１ａ及び側面当接部７２ａ」と「傾斜面７１ｂ及び凹状支持部７２ｂ」は，交互に隣接して配置される構成となっている。
【００４５】
また、図８及び図９に示すように、凹状支持部７２ｂ及び側面支持部７２ａの例えば、基端側には、これら凹状支持部７２ｂ及び側面支持部７２ａの内側と外部との通気のための通気孔である例えば、通気孔６３が複数個、形成されている。
【００４６】
本実施の形態にかかる消毒装置１は、以上のように構成されているが、以下、その動作等を説明する。
先ず、利用者である例えば、母親等は、乳児に人工乳を与える際に使用する哺乳瓶１００から、人工乳首５０，キャップ５１及びフード５２を取り外す。
そして、図１及び図２等の容器配置部６０を部品配置部４０から外し、図４に示す状態の部品配置部４０内に、例えば、図２に示すように、人工乳首５０，キャップ５１及びフード５２を組み合わせた状態で、図５の載置部３３ｂ上に載置する。
【００４７】
また、図２の基部３０の水収容部３２内に水又は薬液を所定量注入する。
次いで、容器配置部６０を再び部品配置部４０上に装着し、哺乳瓶１００を、その瓶開口部１１０側を下方向にした状態で、すなわち、逆さまにした状態で、哺乳瓶１００の瓶開口部１１０を、図６の容器配置部６０の瓶支持部７０に配置する。
このとき、当該哺乳瓶１００の瓶開口部１１０の径が、消毒装置１の容器配置部６０の図９の側面支持部７２ａの口径に対応していれば、図９に示すように、消毒装置１は、確実に哺乳瓶１を保持することができる。
【００４８】
ここで準備段階が終了し、消毒工程となる。先ず、母親等は、図１の操作ボタン１１ａ乃至１１ｈを操作して、消毒装置１を始動させる。
すると、ヒータ３１が駆動し、水収容部３２内の水を加熱し、水蒸気を発生させる。発生した水蒸気は、そのまま上方に移動し、図５の基部３０の水蒸気通過部３３ａを通過し、部品配置部４０内の人工乳首５０等を消毒しつつ、さらに上昇する。
【００４９】
その後、水蒸気は容器配置部６０に達し、容器配置部６０の煙突部６１内を水蒸気案内面６１ａに沿って上昇し、煙突部６１の上部開口から哺乳瓶１００の底部１１２に向かって移動する（図２の矢印Ｙ）。
【００５０】
次いで、水蒸気は、底部１１２に達した後、哺乳瓶１００の側部１１３に沿って下降し、側部１１３と煙突部６１の間の空間部を通り、瓶開口部１１０に達する（図２の矢印Ｙ）
このように、水蒸気は哺乳瓶１００内を澱みのない流れで移動する。
【００５１】
次いで、水蒸気は図８の矢印Ｙで示すように、傾斜面７１ｂと瓶開口部１１０の頂部１１５との間の隙間を通過し、その後、瓶開口部１１０のネジ１１１と、凹状支持部７２ｂとの間に形成された間隔（隙間）を介して、容器配置部６０から外部に排出される。
したがって、水蒸気が哺乳瓶１００内部に過度に充満して、不測の事態が発生するのを未然に防止することができる。
【００５２】
また、本実施の形態では、図２の矢印Ｙで示すように、水蒸気は煙突部６１から哺乳瓶１００の底部１１２に向かって移動するので、短時間、例えば、１分で、所望の温度、例えば、９８℃に達する。
したがって、最も温度が上昇し難かった部分を僅か１分で消毒可能であるので、迅速に消毒することができる。
【００５３】
また、本実施の形態では、図６に示すように「頂部当接部７１ａ及び側面当接部７２ａ」と「傾斜面７１ｂ及び凹状支持部７２ｂ」が交互に隣接して配置されている。このため、哺乳瓶１００の瓶開口部１１０は、「頂部当接部７１ａ及び側面当接部７２ａ」に当接される部分で確実に保持されると共に、「傾斜面７１ｂ及び凹状支持部７２ｂ」に対応する部分では、哺乳瓶１００内の水蒸気を確実に外部に排出させることができる。
【００５４】
また、本実施の形態では、図８等に示すように、凹状支持部７２ｂ等の基端部側には、通気孔６３が複数、形成されているので、矢印Ｙで示す水蒸気の外部への排出が、上述の瓶開口部１１０のネジ１１１と凹状支持部７２ｂとの間に形成された隙間のみならず通気孔６３でも行われるため、より効果的に水蒸気を排出でき、矢印Ｙで示す水蒸気の澱みのない流れを効率良く発生させることができる。
【００５５】
ところで、図８の矢印Ｙ方向へ水蒸気が対流する過程において、その水蒸気の一部が滴状となり、哺乳瓶１００の瓶開口部１１０付近等に溜まり、「液体溜まり」が形成されるおそれがある。
そして、この「液体溜まり」は、哺乳瓶１００の内部を対流する熱い蒸気により加熱され、沸騰して、熱い状態で周囲に飛散する可能性があるという問題がある。
【００５６】
この点、本実施の形態では、排出されなかった水蒸気等が滴状となっても、図８の傾斜面７１ｂで落下孔７１ｃに案内され、落下孔７１ｃから容器配置部６０の外部に排出される。
したがって、上述の「液体溜まり」が形成されることを未然に防止することができ、加熱された液体が周囲に飛散することを防止することができる。
【００５７】
また、本実施の形態では、哺乳瓶１００を容器配置部６０に配置したときは、図８に示すように、落下孔７１ｃは、哺乳瓶１００によって覆われる構成となる。
したがって、消毒装置１の稼働中に、外部から異物等が落下孔７１ｃに混入することを未然に防止することができる。
【００５８】
さらに、本実施の形態では、図６及び図８に示すように、傾斜面７１ｂは、凹状支持部７２ｂの基端部から落下孔７１ｃにかけて、徐々に下降するように連続的に形成されている。
したがって、頂部支持部７１では、水蒸気が滴状となって傾斜面７１ｂの任意の位置に付着しても、この滴は、傾斜面７１ｂにより落下孔７１ｃに案内されて、落下孔７１ｃから排出される。すなわち、頂部支持部７１では、凹状支持部７２ｂの基端と落下孔７１ｃの間の全範囲において、上述の「液体溜まり」が形成されることを未然に防止することができる。
【００５９】
（第２の実施の形態）
図１０は、本発明の第２の実施の形態にかかる消毒用具である例えば、容器配置部１６０の主な構成を示す概略図である。
本実施の形態に係る容器配置部１６０の主な構成は、第１の実施の形態の容器配置部１６０と同様であるため、同一の構成等は同一符号等として説明を省略し、相違点を中心に以下説明する。
【００６０】
本実施の形態では、放出部である例えば、落下孔１７１ｃが頂部支持部のうち、凹状支持部７２ｂの基端側（側面支持部近傍の一例）に形成されている。
そして、傾斜面１７１ｂは、煙突部６１の基端側から落下孔１７１ｃにかけて徐々に下降するように連続的に形成されている。
したがって、第１の実施の形態における落下孔７１ｃと比較して、煙突部６１から離間した方向に落下孔１７１ｂが存在するので、水蒸気を哺乳瓶１００に供給する動作等（例えば、適切な上昇気流の発生等）に影響を与えずに、滴状となった水蒸気を容器配置部６０の外部に排出する構成となっている。このため、消毒を効果的に行うことができる。
【００６１】
本発明は、上記実施形態に限定されず、特許請求の範囲を逸脱しない範囲で種々の変更を行うことができる。
上述の第１及び第２の実施の形態と異なり、これらの実施の形態で用いた容器配置部６０、１６０を、消毒装置１の一部として使用することなく、他の構成と組み合わせて使用しても構わない。
例えば、沸騰したお湯等を収容した鍋等の容器の上に設置し、哺乳瓶１００等の飲料容器を消毒するために使用される容器配置部６０、１６０も本発明の消毒用具に含まれる。
このような使用形態であっても、容器配置部６０、１６０は、第１及び第２の実施の形態と同様の原理によって、その上に配置された飲料容器の内部に対して、鍋等の容器から発生する水蒸気等の蒸気を案内して対流させ、飲料容器の内部を消毒することができる。
【００６２】
また、煙突部６１の高さは、哺乳瓶１００の底部１１２に消毒に足りる温度の蒸気等が到達すれば足り、本実施の形態では、例えば、哺乳瓶１００の瓶開口部１１０から底部１１２までの長さ（高さ）の半分以上としたが、これに限らず、消毒する哺乳瓶１００の大きさや高さに応じて、煙突部６１の長さを変更させることができる。また、煙突部を伸縮可能な形状としても良い。
さらに、瓶支持部７０は、様々なサイズの哺乳瓶１００に対応できるように、適宜変更することができる。
【符号の説明】
【００６３】
１・・・消毒装置１、１０・・・ケース、１１ａ乃至１１ｈ・・・操作ボタン、２０・・・消毒装置本体、３０・・・基部、３１・・・ヒータ、３２・・・水収容部、３３・・・部品載置部、３３ａ・・・水蒸気通過部、３３ｂ・・・載置部、４０・・・部品配置部、５０・・・人工乳首、５１・・・キャップ、５２・・・フード、６０、１６０・・・容器配置部、６１・・・煙突部、６１ａ・・・水蒸気案内面、６３・・・通気孔、７０・・・瓶支持部、７１・・・頂部支持部、７１ａ・・・頂部当接部、７１ｂ、１７１ｂ・・・傾斜面、７１ｃ、１７１ｃ・・・落下孔、７２・・・側面支持部、７２ａ・・・側面当接部、７２ｂ・・・凹状支持部、１００・・・哺乳瓶、１１０・・・瓶開口部、１１１・・・ネジ、１１２・・・底部、１１３・・・側部、１１４・・・瓶内部
【図１】
2017103975.tif 000003
【図２】
2017103975.tif 000004
【図３】
2017103975.tif 000005
【図４】
2017103975.tif 000006
【図５】
2017103975.tif 000007
【図６】
2017103975.tif 000008
【図７】
2017103975.tif 000009
【図８】
2017103975.tif 000010
【図９】
2017103975.tif 000011
【図１０】
2017103975.tif 000012
【国際調査報告】
2017103975.tif 000013
2017103975.tif 000014
2017103975.tif 000015
2017103975.tif 000016